(57)【特許請求の範囲】
【請求項１】
外枠と内枠とを備え、刺繍する生地を前記外枠と前記内枠との間に挟み込んで張った状態にして使用するための刺繍枠であって、
前記外枠及び前記内枠の各々は、上下の縁部の各角部が丸く面取りされ、
前記内枠は、開口部を有し、前記内枠の内周面側に、前記開口部を跨ぎ、且つ前記内枠の外周が前記外枠の内周よりやや大きくなるように付勢する略への字形状の板バネが取り付けられており、
前記外枠と前記内枠との間に前記生地を挟み、前記外枠と前記内枠とを互いに押し付けるようにすると、前記板バネが弾性変形して、前記生地が張られた状態で挟まれ、前記板バネの復元力により前記生地が張られた状態のまま固定保持されるようにした、刺繍枠。
【請求項２】
前記略への字形状の板バネを、前記内枠の開口部を形成する端部から所定の距離を離した位置に取り付けた、請求項１に記載の刺繍枠。
【請求項３】
前記内枠は、その素材が檜であることを特徴とする、請求項１または請求項２に記載の刺繍枠。
【請求項４】
前記略への字形状の板バネは、前記内枠に雄雌１組のカシメ部材を用いて取り付けられており、前記内枠の外周面側に現れるカシメ部材の頭部が、前記内枠の外周面に一致するように前記内枠に取り付けられている、請求項３に記載の刺繍枠。
【発明の詳細な説明】
【０００１】
【発明の属する技術分野】
本発明は、刺繍枠に関し、特に、刺繍する生地を容易に張った状態にでき、生地に刺繍をする際に、刺繍枠が邪魔にならず、厚さの異なる生地をワンタッチで着脱できるようにした、刺繍枠に関する。
【０００２】
【従来の技術】
従来の刺繍枠としては、例えば、図５、図７及び図９に示すようなものが既に提案されている。
図５に示す刺繍枠１１は、外枠１２と内枠１３とを備えており、外枠１２には開口部１２ａが形成され、外枠１２の端部１２ｅ、１２ｅには、調整ネジ１４を取り付けるための取付具１５、１５が、外枠１２の外周面１２ｂから外方に突出するように設けられている。調整ネジ１４は、開口部１２ａを跨ぐように、取付具１５、１５に取り付けられており、調整ネジ１４を回転させることで、開口部１２ａを狭めたり広げたりして、外枠１２の枠の寸法を調整できるようになっている。
【０００３】
尚、図５（ａ）及び図５（ｂ）中、１６で示す部材は、調整ネジ１４に螺合するナットを示している。
図６は、刺繍枠１１の使用方法を概略的に説明する説明図である。
まず、生地Ｂの裏面側に内枠１３を載せ（図６（ａ）参照）、次に生地Ｂの表面側が表にくるように生地Ｂをひっくり返し、外枠１２を内枠１３の上方の位置にくるように生地Ｂの上に載せ、その後、外枠１２と内枠１３とをはめ合わせ、生地Ｂを外枠１２と内枠１３との間に挟み込んで張った状態にし（図６（ｂ）参照）、調整ネジ１４を回転させて、外枠１２を内枠１３方向へ締め付けて、生地Ｂを外枠１２と内枠１３との間にしっかりと止めた後（図６（ｃ）参照）、生地Ｂに刺繍をするようにしている（図５（ｂ）を参照）。
【０００４】
また、図７に示す刺繍枠２１は、外枠２２と内枠２３とを備えており、内枠２３には開口部２３ａが形成され、内枠２３の端部２３ｅ、２３ｅには、調整ネジ２４を取り付けるための取付具２５、２５が、内枠２３の内周面２３ｂから内方に突出するように設けられている。調整ネジ２４は、開口部２３ａを跨ぐように取付具２５、２５に取り付けられており、調整ネジ２４を回転させることで、開口部２３ａを狭めたり広げたりして、内枠２３の枠の寸法を調整できるようになっている。
【０００５】
尚、図７（ａ）及び図７（ｂ）中、２６で示す部材は、調整ネジ２４に螺合するナットを、また、２７は、調整ネジ２４を指で容易に回転させることができるようにするために設けられた調整ネジ操作部を示している。
図８は、刺繍枠２１の使用方法を概略的に説明する説明図である。
まず、生地Ｂの表面側に外枠２２を載せ（図８（ａ）参照）、次に生地Ｂの裏面側が表にくるように、生地Ｂをひっくり返し、内枠２３を外枠２２の上方位置にくるように生地Ｂの上に載せ、その後外枠２２に内枠２３をはめ合わせ、生地Ｂを外枠２２と内枠２３との間に挟み込んで張った状態にし（図８（ｂ）参照）、調整ネジ２４を回転させて内枠２３を外枠２２方向へ広げて、生地Ｂを外枠２２と内枠２３との間にしっかりと止める（図８（ｃ）参照）。その後、もう一度を刺繍枠２１をひっくり返し、生地Ｂを表にしてから刺繍をするようにしている。
【０００６】
また、図９（ａ）に示す刺繍枠３１は、外枠３２と内枠３３とを備えている。内枠３３は、金属で製せられており、内枠３３の外周が、外枠３２に嵌め合わされていないときには、外枠３２の内周よりやや大きめに形成されている。
また、内枠３３には、開口部３３ａが形成されており、且つ内枠３３の端部３３ｅ、３３ｅには、操作部３５、３５が設けられた構造になっており、操作部３５、３５を指で挟んで締め付けると、内枠３３の枠の寸法が小さくなり、操作部３５、３５から指を離せば、内枠３３の復元力により元の状態に戻るようにされている。また操作部３５、３５は、図９（ｂ）に示すように、操作性を考慮して、外枠３２に内枠３４をはめ込んだ際に外枠３２の外方へ突出するように設けられている。
【０００７】
図１０は、刺繍枠３１の使用方法を概略的に説明する説明図である。
まず、生地Ｂの表面側に外枠３２を載せ（図１０（ａ）参照）、次に生地Ｂの裏面側が表にくるように生地Ｂをひっくり返し、内枠３３を外枠３２の上方位置にくるように生地Ｂの上に載せ、操作部３５、３５を指で挟んで締め付け（図１０（ｂ）参照）、外枠３２に内枠３３をはめ合わせ、その後操作部３５、３５から指を離すと、内枠３３の復元力により生地Ｂが外枠３２と内枠３３との間に挟み込まれ、張った状態になる。そして、その後、もう一度、生地Ｂをひっくり返してから刺繍するようにしている。
【０００８】
【発明が解決しようとする課題】
しかしながら、図５に示す、従来の刺繍枠１１には、取付具１５、１５が外枠１２の外周面１２ａから外方に突出するように設けられているため、生地Ｂに刺繍をする際に、取付具１５、１５に刺繍糸又は生地Ｂがひっかかって、刺繍し難いという問題がある。
【０００９】
また、生地Ｂを刺繍枠１１に取り付ける度に、いちいち、調整ネジ１４を指で回転させて、調整ネジ１４を調整し、外枠１２と内枠１３との間に生地Ｂを確実に取り付けなければなならず、生地Ｂを刺繍枠１１に取り付ける際に、手間がかかるという問題もある。
更に、従来の刺繍枠１１には、図６（ｂ）に示すように、外枠１２に取付具１５、１５が雄型のカシメ部材２８で取付けられており、この雄型のカシメ部材２８の先端部２８ａが花びら状に開いた状態に潰されて外枠１２の内面に突出した状態にされている。このため、この雄型のカシメ部材２８の先端部２８ａに、生地Ｂがひっかかり、刺繍をするのが難しくなったり、また、雄型のカシメ部材２８の先端部２８ａに生地Ｂが引っ掛かって、刺繍枠１１の位置変えが難しくなったりし、刺繍が行い難くなったりするといった問題もある。
【００１０】
また、図７に示す、従来の刺繍枠２１には、取付具２５、２５が内枠２３の内周面２３ｃから内方に突出するように設けられているため、生地Ｂに刺繍をする際に、取付具２５、２５に、生地Ｂがひっかかるという事態は少なくなるものの、取付具２５、２５が、上記した刺繍枠１１と同様に、雄型のカシメ部材により内枠２３に取り付けており、内枠２３の外周面２３ｂに花びら状に潰されたカシメ部材の先端（図示せず）に、生地Ｂが引っ掛かり、刺繍枠２１の位置変えが難しくなったり、また、花びら状に潰されたカシメ部材の先端（図示せず）に生地Ｂがひっかかって、刺繍が行い難いといった問題がある。
【００１１】
また、この刺繍枠２１でも、調整ネジ２４を回転させることで、内枠２３の枠の寸法を変えるようにしているので、刺繍枠１１と同様、厚さが異なる生地毎に、生地Ｂを外枠２２と内枠２３との間にしっかりと止めるためには調整ネジ２４を調整しなければならず、手間がかかるという問題がある。
また、図９に示す、従来の刺繍枠３１には、内枠３３は金属で構成し、内枠３３の弾性力により、外枠３２と内枠３３との間に生地Ｂを取り付けるようにしているので、刺繍枠１１、２１のような厚さが異なる生地毎に、調整ネジ１４、２４を調整しなければならないというような問題はないものの、外枠３２と内枠３３との間に生地Ｂを取り付けた後において、操作部３５、３５が外枠３２の外方に位置するため、刺繍枠１１と同様、生地Ｂに刺繍をする際に、操作部３５、３５に生地Ｂがひっかかり、刺繍がし難いという問題がある。
【００１２】
また、内枠３３が金属製であるため、内枠３３が重く、その結果、刺繍の際に刺繍枠３１を持つ手が疲れるという問題もある。
本発明は、以上のような問題を解決するためになされたものであって、刺繍する生地を容易に張った状態にでき、刺繍糸又は生地が刺繍枠にひっかかることがなく、生地に刺繍がし易く、刺繍枠の位置変えや、厚さの異なる生地への刺繍枠の着脱がワンタッチででき、更には、軽量の刺繍枠を提供することを目的としている。
【００１３】
【課題を解決するための手段】
請求項１に記載の刺繍枠は、外枠と内枠とを備え、刺繍する生地を外枠と内枠との間に挟み込んで張った状態にして使用するための刺繍枠であって、前記外枠及び前記内枠の各々は、上下の縁部の各角部が丸く面取りされ、前記内枠は、開口部を有し、内枠の内周面側に、開口部を跨ぎ、且つ前記内枠の外周が外枠の内周よりやや大きくなるように付勢する略への字形状の板バネが取り付けられており、前記外枠と前記内枠との間に前記生地を挟み、前記外枠と前記内枠とを互いに押し付けるようにすると、前記板バネが弾性変形して、前記生地が張られた状態で挟まれ、前記板バネの復元力により前記生地が張られた状態のまま固定保持されるようにしている。
【００１４】
請求項２に記載の刺繍枠は、請求項１に記載の刺繍枠の、略への字形状の板バネを、内枠の開口部を形成する端部から所定の距離を離した位置に取り付けた。ここで、所定の距離は、約１０ｍｍ〜２０ｍｍが好ましく、約１５ｍｍがより好ましい。
請求項３に記載の刺繍枠は、請求項１または請求項２に記載の刺繍枠の、内枠は、その素材が檜であることを特徴とする。
【００１５】
檜は、材質的に、比較的柔らかく、曲げ易いので、容易に内枠形状に加工することができるという長所がある。しかも、軽いため、刺繍枠を持つ手が疲れ難く、且つ、防虫効果にも優れているので、長期に渡って使用することができるといったような長所があるので、好適に用ることができる。
請求項４に記載の刺繍枠は、請求項３に記載の刺繍枠の、略への字形状の板バネは、内枠に雄雌１組のカシメ部材を用いて取り付けられており、内枠の外周面側に現れるカシメ部材の頭部が、内枠の外周面に一致するように内枠に取り付けられている。
【００１６】
この刺繍枠では、刺繍枠の材質を檜としているので、カシメ部材の頭部が刺繍枠の表面から内部に入り込み易く、内枠の外周面にカシメ部材の頭部を一致させることができる。このように、この刺繍枠では、内枠の外周面に現れるカシメ部材の頭部を一致させることで、カシメ部材の頭部が生地にひっかかり難くすることができる。
【００１７】
【発明の実施の形態】
以下、本発明に係る刺繍枠の一例について、図面を参照しながら更に詳しく説明する。
図１は、本発明に係る刺繍枠の一例を概略的に示す分解斜視図である。
この刺繍枠１は、外枠２と内枠３とを備える。
【００１８】
内枠３には、開口部３ａが形成されており、内枠３の内周面３ｃに、開口部３ａを跨ぐように、且つ、内枠３を外枠２から分離している状態のときに、内枠３の外周が外枠２の内周よりやや大きくなるように付勢するように、略への字形状の板バネ４が取り付けられた構成となっている。
この例では、外枠２及び内枠３の材質として、木材が使用されている。より特定的に説明すると、この例では、外枠２及び内枠３の材質として、檜を用いている。
【００１９】
尚、この例では、外枠２に内枠３をはめ込みやすいように、外枠２及び内枠３の各々は、上下の縁部の各角部が丸く面取りされている。
また、板バネ４の材質としてはステンレス鋼を使用している。そして、この例では、図１に示すように、板バネ４の幅Ｗ４は、内枠３の幅Ｗ３と同じ幅か、それ以下の幅になっている。また、板バネ４の頂角には、曲面が設けられている。
【００２０】
また、板バネ４は、図１に示すように、内枠３の端部３ｅ、３ｅの各々から所定の距離Ｌ、Ｌを離した位置に取り付けられており、指で、板バネ４と、内枠３の端部３ｅ、３ｅの各々から板バネ４の取付位置までの部分Ｐ、Ｐのいずれかを挟んだり、内枠３をその開口部３ａを狭めるようにするだけで、内枠３の枠の寸法が、外枠２の枠の寸法より小さくなり、板バネ４と内枠３の端部３ｅから板バネ４の取付位置までの部分Ｐ、Ｐのいずれかから指を離すと、内枠３の弾性復元力と、板バネ４の弾性復元力とにより、内枠３が元の状態になるようになっている。
【００２１】
ここで、所定の距離Ｌは、約１０ｍｍ〜２０ｍｍが好ましく、約１５ｍｍがより好ましい。
所定の距離Ｌが、この範囲内にあれば、部分Ｐ、Ｐのいずれかを手で容易に挟み込んで、内枠３の枠の寸法を変えることができる。
また、板バネ４は、刺繍枠１の操作性を考慮すれば、内枠３の内周面にへばりつくように設けられていることが好ましい。内枠３の中心方向に、板バネ４が突設していると、内枠３を手で持つときに、手が、板バネ４に触れた時に、違和感を与えることになるが、板バネ４を内枠３の内周面３ｃにへばりつくように設けていると、手が、板バネ４に触れても、手が内枠３の内周面に触れているときと同様の感覚になる。
【００２２】
外枠２を製造するには、例えば、水に濡らした檜の平板材を、外周が円状の棒状体に巻き、その接合部（図１に示す接合部２ａ）を接着剤等で固着して輪状に形成して製作するとよい。
また、内枠３の製造も、外枠２と同様にして製作し、その後、所定の箇所を切断して、開口部３ａを形成すればよい。
【００２３】
尚、この刺繍枠１では、外枠２の接合部２ａが、はがれて、外枠２が壊れ難いようにするために、外枠２の接合部２ａを、図１に示すように、外枠２の一対の端部の各々から斜めに傾斜するようにして形成した傾斜面を接合して形成し、接合部２ａの面積が大きくしている。
次に、この刺繍枠１の使用方法の一例を概略的に説明する。
【００２４】
図２は、刺繍枠１の使用方法を概略的に説明する説明図である。
まず、生地Ｂを表面側を上にして、内枠３を手にもって、生地Ｂの下側に内枠３を入れ、内枠３上に生地Ｂを載せた状態にする（図２（ａ）参照）。
次に、もう一方の手で外枠２を持ち、外枠２を内枠３の上方位置にくるように、生地Ｂの上に載せ、その後、外枠２と内枠３とを嵌め合わせる。
【００２５】
この刺繍枠１では、単に、外枠２と内枠３とを互いに押し付けるようにするだけで、板バネ４が弾性変形し、ワンタッチ操作で生地Ｂが外枠２と内枠３との間に張った状態で挟まれるとともに、板バネ４の復元力によりしっかりと固定される（図２（ｂ）参照）。
この刺繍枠１では、上記したワンタッチ操作により、生地Ｂに刺繍ができるようになる。
【００２６】
また、これにより、厚さの異なる生地を刺繍枠１に容易に着脱できるようになる。
また、板バネ４を内枠３の内周側に設け、外枠２の外側に突出する部材が無いので、刺繍をする際に、刺繍糸が、刺繍枠１にひっかかることが無い。これにより、生地Ｂに刺繍する際に、刺繍枠１が邪魔になるということが無い。
【００２７】
更に、この刺繍枠１では、内枠３と外枠２とが対面する箇所にも突出箇所が無いようにしているので、生地Ｂが刺繍枠にひっかかることがない。これにより、刺繍枠１の位置変えを容易に行うことができる。
また、この例では、板バネ４は内枠３の端部３ｅ、３ｅから所定の距離Ｌ、Ｌを離した位置に取り付けられているので、内枠３を持つときに、板バネ４と内枠３の端部３ｅから板バネ４の取付位置までの部分Ｐ、Ｐのいずれかを手で挟んだり、又は、内枠３をその開口部３ａを狭めるようにするだけで、内枠３の枠の寸法が外枠２の枠の寸法より小さくなるようにし、外枠２と内枠３との間に生地Ｂを挟んで、外枠２と内枠３とを嵌め合わせると、後は、部分Ｐ、Ｐのいずれかから手を離すだけで、外枠２と内枠３との間への生地Ｂの挟み込み作業が終了するので、外枠２と内枠３との間への生地Ｂの挟み込み作業をより一層容易に行える。
【００２８】
また、生地Ｂは外枠２と内枠３との間へ板バネ４の復元力により挟みこまれるため、従来の刺繍枠１１、２１のような調整ネジ１４、２４を一々回転させるといった面倒な操作をすることなく、内枠３を指で内側に縮めた状態で外枠２に嵌め合わすだけでよく、厚さの異なる生地への刺繍枠１の取付けをワンタッチで行える。
【００２９】
更にまた、生地Ｂを表や裏にひっくり返す手間も不要となる。
図３は、内枠３と板バネ４との取付け部分を拡大して示す図である。
この刺繍枠１では、内枠３へ板バネ４を取り付ける取付け部材として、雄型と雌型１組のかしめ部材８ａ、８ｂを用いている。
このバネ４を内枠３へ板取付けるには、板バネ４に形成した貫通孔４ａに雄型カシメ部材８ａを挿通し、更に、この雄型カシメ部材８ａを内枠３に形成した貫通孔３ｇに内周面側から挿通し、その後に内枠３の外周面側から雌型カシメ部材８ｂを、内枠３の外周面側に突出した雄型カシメ部材８ａの先端部に嵌入して、この状態で雄型カシメ部材８ａの頭部をハンマー等の工具を用いてカシメる。
【００３０】
この例では、内枠３を檜で形成している。そして、檜は、比較的、柔らかいため、雌型カシメ部材８ｂ（カシメ部材の頭部）は、内枠３の外周面３ｂに埋もれた状態で、内枠３の外周面３ｂと一致した状態となる。
尚、これとは逆に、雄型カシメ部材８ａの頭部が、内枠３の外周面３ｂ側にくるようにし、雌型カシメ部材８ｂが、内枠３の外周面３ｂ側にくるようにした場合には、雄型カシメ部材８ａの頭部が、内枠３の外周面３ｂに埋もれた状態で、内枠３の外周面３ｂと一致した状態となる。
【００３１】
これにより、内枠３の外周面３ｂ側に、雄型カシメ部材８ａの先端部又は雌型カシメ部材８ｂ（カシメ部材の頭部）のいずれを持ってくるようにしても、雄型カシメ部材８ａの先端部又は雌型カシメ部材８ｂ（カシメ部材の頭部）は、檜で形成された内枠３の外周面３ｂに埋もれた状態で内枠３の外周面３ｂに一致するので、従来のように、カシメ部材の先端に生地Ｂの糸が引っ掛かることがない。これにより、この刺繍枠１には、刺繍が行い易いという利点がある。
【００３２】
また、この刺繍枠１では、外枠２及び内枠３の素材を檜としているので、檜の柔らかいという特性により、外枠２及び内枠３を曲げ加工し易い。このため、外枠２及び内枠３の製造を容易に行える。
しかも、檜は、軽量であるので、刺繍枠１を持つ手が疲れない。
且つ、檜は、防虫効果にも優れているので、刺繍枠を長期に渡って使用しても、外枠２及び内枠３が虫に喰われ難い。
【００３３】
図４は、本発明に係る刺繍枠の他の一例を概略的に示す斜視図である。
尚、この刺繍枠１Ａは、以下の構成を除けば、刺繍枠１と同様であるので、説明を容易とするため、相当する部材については、相当する参照符号を付して、その説明を省略する。
この刺繍枠１Ａは、略への字形状の板バネ４の一方側を、内枠３の一方側端部３ｅ１の近傍箇所に、カシメ部材８ａ、８ｂで取付け固定し、他方側を内枠３の他方側端部３ｅ２から所定の距離が離れた箇所に、カシメ部材８ａ、８ｂで取付け固定している点が、刺繍枠１と異なっている。
【００３４】
この刺繍枠１Ａでは、以上の構成により、板バネ４と、内枠３の他方側端部３ｅ２から板バネ４の取付位置までの部分Ｐ１を指で押さえるだけで、内枠３が大きく萎むので、内枠３を外枠２に容易に嵌め合わせることができる。
【００３５】
【発明の効果】
以上、詳細に説明したように、請求項１に記載の刺繍枠では、内枠を略への字形の板バネの付勢力に抗して内側に縮め、内枠と外枠との間に刺繍する生地を挟んだ状態にして、内枠を外枠に嵌め合わせるだけで、板バネの付勢力により、外枠と内枠との間に、刺繍する生地を容易に張った状態にできるので、刺繍をする生地の刺繍枠への取付け作業が極めて容易になる。
【００３６】
しかも、外枠の外側に突出する部材が無く、且つ、内枠と外枠とが対面する箇所に突出箇所も無いので、刺繍糸や生地が刺繍枠にひっかかることがない。これにより、繍枠の位置変えを容易に行うことができ、厚さの異なる生地の刺繍枠への着脱が極めて容易に行える。
請求項２に記載の刺繍枠では、略への字形の板バネを、内枠の端部から所定の距離を離した位置に取付けている。これにより、板バネと、内枠の端部から板バネの取付位置までの部分を指で押さえるだけでも、内枠を縮めることができるので、内枠を外枠に容易に嵌め合わせることができる。
【００３７】
請求項３に記載の刺繍枠では、内枠の素材を檜としているので、檜の柔らかい性質によって、内枠を曲げ加工し易く、その結果、内枠の製造が容易となる。また、檜は、軽いという特性を有するので、刺繍の際に刺繍枠を持つ手が疲れない。且つ、檜は、防虫効果にも優れているので、刺繍枠を長期に渡って使用しても、内枠が虫に喰われることがない。
【００３８】
請求項４に記載の刺繍枠では、板バネを内枠に取り付けるための雌雄１組のカシメ部材の内枠の外周面に現れる頭部が、内枠の外周面に一致するように内枠に取付けられているので、カシメ部材に生地の糸が引っ掛かることがなくて刺繍が行い易く、且つ、生地の刺繍枠への位置変えを容易に行うことができる。
【図面の簡単な説明】
【図１】本発明に係る刺繍枠の一例を概略的に示す分解斜視図である。
【図２】図１に示す刺繍枠に生地を張るときの手順を示す説明図である。
【図３】本発明に係る刺繍枠を、内枠と板バネの取付け部とを中心にして、概略的に示す斜視図である。
【図４】本発明に係る刺繍枠の他の一例を概略的に示す分解斜視図である。
【図５】従来の刺繍枠の一例を概略的に示す図であり、図５（ａ）は、従来の刺繍枠の一例を、その外枠の開口部を広げた状態を、その生地の一部を切り欠いて示す平面図を、又、図５（ｂ）は、従来の刺繍枠の一例に、生地を取り付けた状態を、その生地の一部を切り欠いて示す平面図を、各々、示している。
【図６】図５に示す刺繍枠に生地を張る手順を示す説明図である。
【図７】従来の刺繍枠の他の一例を概略的に示す図であり、図７（ａ）は、従来の刺繍枠の一例を、その内枠の開口部を狭めた状態を示す平面図を、又、図７（ｂ）は、従来の刺繍枠の一例に、生地を取り付けた状態を、その生地の一部を切り欠いて示す平面図を、各々、示している。
【図８】図７に示す刺繍枠に生地を張る手順を示す説明図である。
【図９】従来の刺繍枠のまた別の一例を概略的に示す図であり、図９（ａ）は、従来の刺繍枠のまた別の一例に、生地を取り付けた状態を、その生地の一部を切り欠いて示す平面図を、又、図９（ｂ）は、図９（ａ）中に示す、ＩＸ−ＩＸ線にしたがう概略的な断面図を、各々、示す。
【図１０】図９に示す刺繍枠に生地を張る手順を概略的に示す説明図である。
【符号の説明】
１、１Ａ  刺繍枠
２        外枠
３        内枠
３ａ      開口部
３ｂ      外周面
３ｃ      内周面
３ｅ      端部
４        板バネ
８ａ      雄型カシメ部材
８ｂ      雌型カシメ部材
【図１】
0003953604.tif 000002
【図２】
0003953604.tif 000003
【図３】
0003953604.tif 000004
【図４】
0003953604.tif 000005
【図５】
0003953604.tif 000006
【図６】
0003953604.tif 000007
【図７】
0003953604.tif 000008
【図８】
0003953604.tif 000009
【図９】
0003953604.tif 000010
【図１０】
0003953604.tif 000011